(57)【要約】【課題】  着火性が良く、高熱効率、そして窒素酸化物の排出量を低減可能とし、さらにはノッキングの防止を可能とするガスエンジン装置を提供することを目的とする。【解決手段】  シリンダ１とピストン４により形成される燃焼室へガス燃料と酸化剤とを供給し、上記燃焼室で圧縮された混合気を着火装置５により着火するガスエンジン装置において、着火装置５は、燃料の爆轟により超高温のプラズマを生成し、該プラズマが進行する方向に延びる噴射予室１６と、該噴射予室から放射状に延びて外周部で噴射開口１７Ｂを形成する複数の噴射孔１７とを有し、各噴射開口はシリンダの軸線方向に細長いスリット形状をなしていることを特徴とする。【選択図】  図１
2005337048.tif 000002
【特許請求の範囲】
【請求項１】
シリンダとピストンにより形成される燃焼室へガス燃料と酸化剤とを供給し、上記燃焼室で圧縮された混合気を着火装置により着火するガスエンジン装置において、着火装置は、燃料の爆轟により超高温のプラズマを生成し、該プラズマが進行する方向に延びる噴射予室と、該噴射予室から放射状に延びて外周部で噴射開口を形成する複数の噴射孔とを有し、各噴射開口はシリンダの軸線方向に細長いスリット形状をなしていることを特徴とするガスエンジン装置。
【請求項２】
噴射孔は、シリンダの軸線を含む面での断面形状がラバールノズル形状をなしていることとする請求項１に記載のガスエンジン装置。
【請求項３】
噴射予室は、噴射孔の位置よりもプラズマ進行方向前方の位置に終端壁を有し、該終端壁はプラズマ進行方向に対し直角な壁面をなしていることとする請求項１に記載のガスエンジン装置。
【請求項４】
噴射孔を形成する部材は、耐熱材料で作られていること、冷却構造を有していることのいずれか一方を満足していることとする請求項１ないし請求項３のうちの一つに記載のガスエンジン装置。
【請求項５】
噴射孔を形成する部材は、周囲とは別部材として形成されていて交換可能となっていることとする請求項１ないし請求項４のうちの一つに記載のガスエンジン装置。
【請求項６】
噴射孔を形成する部材は複数の部材で形成されていることとする請求項１ないし請求項５に記載のガスエンジン装置。
【発明の詳細な説明】
【技術分野】
【０００１】
本発明は、ガスエンジン、特に、パイロット着火式ガスエンジン装置に関する。
【背景技術】
【０００２】
この種のガスエンジンとしては特許文献１に開示されているものが知られている。
【０００３】
この特許文献１のエンジンは、シリンダ内へガス燃料と空気との予混合気を充填し、圧縮行程時に着火性のよいディーゼル燃料をノズルから噴射して上記予混合気に点火させるようになっている。
【０００４】
上記の特許文献１のエンジンでは、着火用のディーゼル燃料のノズルをシリンダヘッドの吸入バルブ近傍に設け、ガス燃料噴射ノズルはシリンダ壁に設けられている。かかる特許文献１のエンジンは、シリンダ内に吸入された空気中に吸入行程後期から圧縮行程後期の間の適正な時期にガス燃料を噴射させるガス燃料噴射ノズルがシリンダ壁から上記シリンダ内に臨ませて設けられているので、特許文献１によると、吸気行程時には空気のみをシリンダ内に吸入するためにシリンダ内に吸入する空気量を増大させることができ、したがって、エンジンの出力を向上させることができるとされている。
【特許文献１】特開平６−１３７１５０
【発明の開示】
【発明が解決しようとする課題】
【０００５】
しかしながら、着火源として液体燃料を噴射する上記特許文献１のガスエンジンでは、次のような点で、改善が求められている。
【０００６】
先ず、ガスエンジンのみならず、他の形式のエンジンの場合にも共通しているが、液体燃料を着火源として噴射するエンジンにあっては、燃焼用のガスの温度が低い場合、上記着火源として噴射される液体燃料がその気化熱により温度が下がってしまい、特に始動時に着火しにくいという点がある。さりとて、吸気温度を高めると体積効率が低下してしまう。
【０００７】
また、着火用の燃料が液体燃料なので、燃焼時間が比較的長く、煤等の未反応物質が多く排出される傾向にある。
【０００８】
さらには、空気過剰率を下げると、窒素酸化物の排出量が増大する。
【０００９】
これに加えて、着火源としての液体燃料の噴射は、火炎が前方に向けて大きく拡がってシリンダ内壁付近の未燃ガスを圧縮するために、ノッキングが起きやすい。仮に、噴射口を複数設けて複数の火炎を形成しても、それらの火炎がほぼ円弧状につながってしまい、解決策とならない。
【００１０】
本発明は、このような点に鑑み、着火性が良く、高熱効率、窒素酸化物の排出濃度の低減を可能とし、さらには着火源として超高温プラズマを噴射し、この噴射プラズマがその幅が拡がらずに鋭いビーム状をなすようにして上記のノッキングが起きにくいパイロット着火式のガスエンジン装置を提供することを目的とする。
【課題を解決するための手段】
【００１１】
本発明のガスエンジン装置は、シリンダとピストンにより形成される燃焼室へガス燃料
と酸化剤との混合気を供給し、上記燃焼室で圧縮された混合気を着火装置により着火するようになっている。
【００１２】
かかるガスエンジン装置において、本発明では、着火装置は、燃料の爆轟により超高温のプラズマを生成し、該プラズマが進行する方向に延びる噴射予室と、該噴射予室から放射状に延びて外周部で噴射開口を形成する複数の噴射孔とを有し、各噴射開口はシリンダの軸線方向に細長いスリット形状をなしていることを特徴としている。
【００１３】
このような構成の本発明によれば、放射状に延びて設けられた複数の噴射孔の開口から噴射されるプラズマ流は、シリンダの軸線方向に細長く、すなわち周方向で狭い幅に形成されるので、プラズマ噴流と混合気の温度差が大きく粘度差が大きいため混合気を巻きこまないことと相俟って隣接するプラズマ噴流同士の干渉がなく、これらがつながって円弧状に伝播されるということが防止される。したがって、複数のプラズマ噴流はシリンダの内壁まで細いビームを保ったまま到達し、その間に混合気を圧縮せず、シリンダ内壁に到達して一度に多点着火して混合気を燃焼させる。こうして、ノッキングが防止され、その結果、高圧縮比運転ができるので熱効率の向上が図れると共に、エンジンの長寿命化が図れる。
【００１４】
本発明において、噴射孔は、軸線を含む面での断面形状がラバールノズル形状をなしていることが好ましい。このラバールノズル形状により、上記周方向での狭い幅を保ったまま、プラズマ流は速度を低下することなく進行し、周囲の混合気の巻き込みが抑制され、この点でも、上記多点着火促進、ノッキング防止が図れる。
【００１５】
本発明において、噴射予室は、噴射孔の位置よりもプラズマ進行方向前方の位置に終端壁を有し、該終端壁はプラズマ進行方向に対し直角な壁面をなしていることが望ましい。プラズマは衝撃波を伴って進行する。その際、上記のような終端壁を有していると、この衝撃波は終端壁で反射衝撃波を生じる。この反射衝撃波が往復する際に噴射孔からプラズマ流が複数回噴射される。その結果、混合気の完全燃焼を促進し、エンジンの低公害化に貢献する。
【００１６】
また、本発明において、噴射孔を形成する部材は、耐熱材料で作られていること、そして冷却構造を有していることのいずれか一方を満足していることが好ましく、さらには、周囲とは別部材として形成されていて交換可能となっていることがより好ましい。
【００１７】
噴射孔の内面は高温下におかれるので、噴射孔を形成する部材が耐熱材料で作られることそして冷却構造を有していることにより長寿命化が図れ、ひいては作動の信頼性が向上する。耐熱材料としてはチタン合金、クロム・モリブデン鋼、セラミック等を用いることができる。冷却構造としては水冷構造や油冷却構造を用いることができる。また、上記部材が交換可能となっていれば、仮に焼損があっても部品交換により直ぐに対処でき、そのコストも安い。さらには、噴射孔に関しての作動条件の変更にも容易に対応できる。上記噴射孔を形成する部材が複数の部材で形成されていることとするならば、必要最低限の部材のみの交換ですむと共に、ラバールノズルの形状の加工も容易となる。
【発明の効果】
【００１８】
本発明は、以上のごとく、シリンダ内の圧縮混合気は、着火装置から噴出される超高温のプラズマで着火されるようにしたので、この噴射プラズマ流がシリンダ内の混合気に対して広範囲で着火することとなり、燃焼が均一に行われて低公害となり、また、ノッキングが抑制されて高圧縮比運転のもとで高熱効率を得られる。特に、上記噴射プラズマ流は噴射孔の細長い開口から噴射されるので、幅方向での拡散が抑制されつつ前進してシリンダ壁に達してから混合気に対して広範囲で瞬時に着火するので、その効果が大きい。した
がって、ノッキング抑制によりエンジンの耐久性が向上し、高圧縮比運転により熱効率が改善される。また、上述のごとく、噴射孔の開口の幅が小さいので、幅方向すなわち周方向で噴射孔を複数形成することが可能となり、その場合には、開口ごとに噴射プラズマ流が分散形成されるため多点着火を促進し、この点でもノッキング防止が図られる。
【発明を実施するための最良の形態】
【００１９】
以下、添付図面にもとづき、本発明の実施の形態を説明する。
【００２０】
図１の本実施形態のガスエンジン装置において、符号１はエンジンのシリンダであり、シリンダヘッドには吸気管２と排気管３が設けられ、そこには、吸気弁２Ａそして排気弁３Ａが配されている。また、シリンダ１内にはピストン４が設けられている。
【００２１】
上記シリンダ１のシリンダヘッドには、着火装置５が取り付けられていて、制御装置６によって、制御されている。
【００２２】
着火装置５は、図２に拡大して示されるように、本体７が上本体７Ａと下本体７Ｂとに分割され、シール７Ｃにより密封状態で、図示しないボルト等で連結されている。
【００２３】
上本体７Ａの上部には中空の予燃焼室８が形成されていて、適宜手段によって燃料と酸化剤の混合気が供給され、燃焼して高圧の燃焼排ガスを発生する。この予燃焼室８は、導孔９を介して下述の分散部１０に連通している。該分散部１０は、上部材１１と下部材１２で形成されている。
【００２４】
分散部１０は、上記導孔９から半径方向に大きく拡径する円盤状空間１０Ａと、該円盤状空間の外周部で周方向の複数位置に貫通形成された一次細孔１０Ｂと、該複数の一次細孔１０Ｂが連通する環状空間１０Ｃと、該環状空間１０Ｃの範囲で貫通形成された複数の二次細孔１０Ｄとから形成されている。かくして、予燃焼室８で生成された高圧の燃焼排ガスによって圧縮された混合気の爆轟により発生した爆轟波は、円盤状空間１０Ａ、一次細孔１０Ｂ、環状空間１０Ｃ、そして二次細孔１０Ｄを経て伝播されることにより分散されて次の収束室１３へ導入される。
【００２５】
上記収束室１３は、上記下本体７Ｂの弯曲回転内面と上記下部材１２の下側突出部１２Ａの外周面との間で形成されており、下方に向けて空間横断面が次第に小さくしかも中央部へ向けて変向するように形成されている。
【００２６】
上記下部材１２の下側突出部１２Ａの内部空間には、段状ピストン１４が上下移動自在に収められている。この段状ピストン１４の大径部材１４Ａの上下空間のそれぞれには、図１に見られるように、例えば油圧制御装置としての既出の制御装置６の配管６Ａ，６Ｂが連通している。
【００２７】
上記段状ピストン１４の小径部材の下端部は、テーパ部分を有する弁部１４Ｂを形成していて、上記下本体７Ｂの弯曲回転内面の中央部に取り付けられた管状弁座体１５と協働する。該管状弁座体１５は、上部に形成された大径の弁座部１５Ａと、ここから下方に延びる管状部１５Ｂとを有している。上記弁座部１５Ａの上面中央部には、上記段状ピストン１４の下端部に形成されたテーパ部分が係止するテーパ状の弁座が設けられていて、該弁座からは下方に延びる開口せる筒状中空空間が形成されている。この筒状中空空間は上記下本体７Ｂの突出部７Ｄの下壁により閉塞されていて終（下）端としての壁面１６Ａを有する噴射予室１６を、上記弁座と該壁面１６Ａとの間で形成する。上記壁面１６Ａは後述の噴射孔１７よりも下方に位置し、プラズマ進行方向に対して直角な平坦面を形成している。
【００２８】
上記管状弁座体１５の管状部１５Ｂの下端には、周方向の四箇所で下方に開放され半径外方に貫通する溝部１７Ａが形成されており、上記下本体７Ｂの突出部７Ｄと相俟って軸方向に細長いスリット状の開口１７Ｂを有する噴射孔１７を形成している。該噴射孔１７は、図２において紙面と平行な面での断面形状は、半径外方に向け下向きのラバールノズル形状をなしている。すなわち、上記溝部１７Ａが弯曲形状をなして喉部を形成し、流路面積が該喉部までは次第に小さく、喉部から外方に向けて大きく拡がっている。このように、図２及びこの噴射孔１７での横断面を示す図３にも見られるように、放射状に周方向の四箇所に形成された噴射孔１７は、軸線方向に細長い、換言すれば周方向に幅の狭いスリット状の開口を有したラバールノズル形状を有している。
【００２９】
このような構成の本実施形態装置は、次のように作動する。
【００３０】
（１）先ず、図２の状態で、予燃焼室８での燃料と酸化剤との混合気の燃焼が行われ、高圧の燃焼排ガスが生成される。高圧の燃焼排ガスが下流側の混合気を圧縮して圧力を高くし、爆轟を生じさせ爆轟波を発生させる。
【００３１】
（２）爆轟波は分散部１０を経て分散され収束室１３へ導入される。
【００３２】
（３）図１に見られるように、段状ピストン１４は制御装置６にしたがい配管６Ａからの背圧を受けて、該段状ピストン１４の弁部１４Ｂが弁座部１５Ａを閉じている。上記収束室１３内では、下方に向けて収束室の断面積が小となるために、爆轟波は収束され収束爆轟波となり、超高温のプラズマを発生させる。
【００３３】
（４）次に、ピストン４が上死点に至近してシリンダ１内の混合気が圧縮されたとき、制御装置６によって配管６Ｂからの瞬時の圧力により段状ピストン１４はこれに同期して上昇し、上記弁部１４Ｂは弁座部１５Ａとの間に流路を形成する。したがって、超高温プラズマは、この流路から、瞬間的に噴射予室１６内を下方に進行する。
【００３４】
（５）この超高温プラズマは、噴射孔１７からシリンダ１内へ噴射される。その際、上記噴射予室１６内を下方に進行する衝撃波は終端の壁面１６Ａで反射して反射衝撃波を形成し、この反射衝撃波によっても、プラズマが上記噴射孔１７から噴射される。この反射衝撃波は収束室を経由して予燃焼室まで伝播し、予燃焼室の上流端で反射し、噴射予室まで伝播して、噴射孔からプラズマが噴射される。このような衝撃波の反射は数度、繰り返される。
【００３５】
（６）噴射孔１７から噴射された超高温プラズマは、シリンダ１内で圧縮された混合気を着火する。その際、上記プラズマは、細長い噴射孔１７の開口１７Ｂから噴射されるので、その幅（周方向の幅）が狭いビームＢを維持したまま、周囲の混合気を巻き込むことなく、半径外方へシリンダ１の内面にまで達する。しかるに、一度に多点着火し、混合気が燃焼し、ノッキングを伴うことがない。
【００３６】
本発明において、ラバールノズル形状をなす噴射孔を形成する部材は、周囲部材とは別部材となっていることが好ましい。こうすることにより、ラバールノズル形状を簡単に成形できるし、補修そして交換が容易に行える。また、焼損を抑制するために、上記部材を耐熱材で作ったり、冷却構造を有しているようにすることも望まれる。
【００３７】
上記の実施形態では、収束室を設け、爆轟波を収束して収束爆轟波を形成して超高温プラズマを発生させるが、収束させずに爆轟波により超高温プラズマを発生させてもよい。
【００３８】
上記の実施形態では複数の噴射孔を有する場合について述べたが、噴射孔を一つ設けるようにしてもよい。その場合は、着火装置を少なくとも二つ設けて、シリンダ内に超高温プラズマを少なくとも二つ噴射するようにする。
【図面の簡単な説明】
【００３９】
【図１】本発明の一実施形態装置の要部を示す縦断面図である。
【図２】図１装置の着火装置についての拡大縦断面図である。
【図３】図２装置についての噴射孔の位置における横断面図である。
【符号の説明】
【００４０】
１  シリンダ
４  ピストン
５  着火装置
１６  噴射予室
１６Ａ  終端壁の壁面
１７  噴射孔
１７Ｂ  噴射開口
【図１】
2005337048.tif 000003
【図２】
2005337048.tif 000004
【図３】
2005337048.tif 000005